(57)【特許請求の範囲】
【請求項１】
ロアデッキの上部に平面矩形状のアッパデッキを支柱を介して設けると共に、該アッパデッキの上部外周縁に、アッパデッキ上面の面積を拡大する突出部を水平に延出し、かつ該突出部の上端に枠体を立設してなる合成樹脂製パレットであって、
前記突出部のコーナー部において隣接する前記各枠体の内周面の延長線が直交する交点よりも外方に、前記各枠体に連続一体に結合した補強枠部を立設したことを特徴とする合成樹脂製パレット。
【請求項２】
前記突出部のコーナー部に、該コーナー部において隣接する前記各枠体の内周面の延長線が直交する交点よりも外方へ延出する延出部を設けると共に、該延出部の上端外周縁に、前記補強枠部を前記延出部と一体に立設したことを特徴とする請求項１記載の合成樹脂製パレット。
【請求項３】
前記延出部を、ほぼ半円形状に水平方向に延出形成したこと特徴とする請求項２記載の合成樹脂製パレット。
【請求項４】
前記補強枠体を、ほぼ半環状に形成し、高さと厚さ巾を前記枠体とほぼ同一に設定したことを特徴とする請求項１乃至請求項３のいずれか１項に記載の合成樹脂製パレット。
【請求項５】
前記枠体の基部に、該枠体の内周面から外周面に通じる排水用の貫通孔を設けたことを特徴とする請求項１または請求項４記載の合成樹脂製パレット。
【発明の詳細な説明】
【０００１】
【発明の属する技術分野】
本考案は、例えばフォークリフトによる荷物運搬用の合成樹脂製パレットに関する。
【０００２】
【従来の技術】
周知にように、各種の荷物をフォークリフトにより運搬移動するために用いられるパレットとしては、従来から木枠を組み合わせてなる木製のものが多用されているが、斯かる木製パレットは、その材質上から重量の増加や耐久性の低下等の難点がある。このため、近時においてはロアデッキや該ロアデッキ上に支柱を介して設けられたアッパデッキ全体を合成樹脂材で成形したものが提供されており、その形状や構造上種々な工夫がなされている（例えば特公昭５２−３９５３２号公報等参照）。
【０００３】
【発明が解決しようとする課題】
ところで、一般にパレットは、アッパデッキ上面の荷物をより確実かつ安定した状態で支持することが最大の使命となっており、またパレット不使用時において安定した積み重ね収納や合成樹脂製パレットと木製パレットとの混用による互いの積み重ね時における安定化が要請されている。これは荷物の載置や各パレットの積み重ね時における荷くずれ等の危険性を回避するためにも、またより多くのパレットの積み重ねを可能にするためにも重要な問題である。
【０００４】
しかしながら、上記従来の合成樹脂製パレットにあっては、軽量化や耐久性の向上などは図れるものの、アッパデッキ上面に載置される荷物の安定支持に対する配慮や、木製パレットを含めたパレット同志の積み重ね時における位置決めや安定化等の配慮が不十分であり、安全性を十分に確保できないばかりか、木製パレットの積み重ねが困難になるといった課題を有している。
【０００５】
そこで、本出願人は、実公平５−４４２８１号公報に記載されているような技術を提案した。すなわち、アッパデッキの上部外周縁に、該アッパデッキの上面の面積を拡大する突出部を水平に延出すると共に、該突出部の上端に枠体を立設し、かつ該枠体の各コーナー部に周方向に沿って切欠部を形成したものである。
【０００６】
したがって、枠体によりアッパデッキ上の荷物を安定支持することができると共に、別異のパレットを積み重ねた際の容易な位置決めや横方向のずれを防止したり、またコーナー部の切欠部によって上側パレットのコーナー部が吸収されるため、コーナー部の直角な木製パレットでも積み重ねが可能になる。
【０００７】
ところが、この後者の従来例にあっては、コーナー部に切欠部が形成されているため、各枠体の切欠部側の各端部が自由端になり、したがってかかる各端部の剛性が低下し、長期に亙るパレット使用後の耐久性が低下するおそれがある。
【０００８】
【課題を解決するための手段】
本発明は、前記各従来の実情に鑑みて案出されたもので、請求項１記載の発明は、ロアデッキの上部に平面矩形状のアッパデッキを支柱を介して設けると共に、該アッパデッキの上部外周縁に、アッパデッキ上面の面積を拡大する突出部を水平に延出し、かつ該突出部の上端に枠体を立設してなる合成樹脂製パレットであって、前記突出部のコーナー部において隣接する前記各枠体の内周面の延長線が直交する交点よりも外方に、前記枠体と連続一体に結合した補強枠部を立設したことを特徴としている。
【０００９】
請求項２記載のの発明は、前記突出部のコーナー部に、該コーナー部において隣接する前記各枠体の内周面の延長線が直交する交点よりも外方へ延出する延出部を設けると共に、該延出部の上端外周縁に、前記補強枠部を前記延出部と一体に立設したことを特徴としている。
【００１０】
請求項３記載の発明は、前記延出部を、ほぼ半円形状に水平方向に延出形成したこと特徴としている。
【００１１】
請求項４記載の発明は、前記補強枠体を、ほぼ半環状に形成し、高さと厚さ巾を前記枠体とほぼ同一に設定したことを特徴としている。
【００１２】
請求項５記載の発明は、前記枠体の基部に、該枠体の内周面から外周面に通じる排水用の貫通孔を設けたことを特徴としている。
【００１３】
したがって、アッパデッキに載置された荷物が枠体によって保持されるため、該荷物の安定化支持が得られアッパデッキ上からの不用意な落下が防止されると共に、アッパデッキの上面に別異のパレットを載置した際に、枠体によって上側パレットの位置決めが容易かつ確実に行われ、また横方向のずれが防止されるため安定した積み重ねが可能となる。
【００１４】
しかも、突出部の各コーナー部に、枠体と連続一体に結合した補強枠部を設けたため、該各コーナー部における枠体の剛性が向上すると共に、補強枠部が両枠体の延長線の交点より外側に配置されることになるため、コーナー部が直角なパレットを積み重ねると、該直角なコーナー部が補強枠部の内側に吸収された形になるので、種々のパレットを積み重ねることができる。
【００１５】
【発明の実施の形態】
以下、本発明の実施の形態を図面に基づいて詳述する。
【００１６】
すなわち。本考案に係る合成樹脂製パレットは、図１〜図５に示すように一般の規格木製パレットと同一の面積を有する正方形のロアデッキ１と、該ロアデッキ１の上部の４隅及びその４辺と対角線上中央位置に立設された９本の中空状支柱２ａ〜２ｉと、該支柱２ａ〜２ｉの上部に設けられ、上面４が平坦に形成された正方形のアッパデッキ３とを備えている。上記支柱２ａ〜２ｉは、上下に分割された略中央個所が溶着により一体に結合されていると共に、互いに隣接する支柱２ａ〜２ｈ間にフォークリフトの各一対のフォーク差込口５，５、６，６が４方に形成されている。
【００１７】
上記ロアデッキ１は、図２に示すように各支柱２ａ〜２ｉ間を連結する枠状の連結部位７Ａ〜Ｆと、該各連結部位７Ａ〜Ｆに包囲された４つの正方形空間部８とからなり、上記連結部位７Ａ〜Ｆは、格子状を呈し、各縦横梁部材７ａ，７ｂ間に複数の矩形孔７ｃが形成されている。また、上記連結部位７Ａ〜Ｆ中、図２の横方向中央の支柱２ｇ，２ｉ，２ｂを挟んだ図中横方向の並行な三連の連結部位７Ａ，７Ｂ，７Ｃは、パレット移動用手押し台車の出し入れを容易にするために外側面をテーパ状に形成して上縁全体が略台形に形成されている。
【００１８】
更に、連結部位７Ａ〜Ｆの所定個所には、パレットと接地面あるいは積み重ね時における下側パレットとのすべりを防止する複数のゴム製グメロット９…が嵌着されている。
【００１９】
更にまた、ロアデッキ１の図中縦方向の連結部位７Ａ〜Ｆ下面つまり図中左右の差込口６，６、６，６位置する連結部位７Ｄ，７Ｄ、７Ｆ，７Ｆ及び縦方向中央の連結部位７Ｅ，７Ｅ下面には、図４に示すように細長い両側一対の切欠溝１０，１０が形成されており、この切欠溝１０，１０は、積荷をアッパデッキ３上面に固定する固定用バンドを通して、該固定用バンドの接地面との摩擦による切断を防止し、また自動倉庫での斯かるパレット使用時における位置検出用に供されるものである。
【００２０】
上記各支柱２ａ〜２ｉは、横断面略円形状を呈しているが、各両端側の支柱２ａ，２ｃ，２ｆ，２ｈは内周面がフォークの挿入案内性を良好にするために曲率半径を部分的に小さく設定して内方へ僅かに膨出形成されており、また外側に位置する８本の各支柱２ａ〜２ｈの外側面は表示ラベル等を貼付するため、あるいは文字等を刻印するために平坦状に形成されている。尚、隣接する各支柱２ａ〜２ｉの間隔巾は、図２中、縦方向側よりも横方向側の方が若干大きく設定され、したがって差込口５，６の開口面積が縦方向側６，６よりも横方向側５，５の方が僅かに大きく形成されている
上記アッパデッキ３は、図１，図５に示すように上面４の上記ロアデッキ連結部位１１が形成されている。この連結部位１１は、縦横部材１１ａ，１１ｂを有すると共に、矩形孔７ｃと連通する複数の矩形状通孔１１ｃが上下に貫通形成されている。
【００２１】
また、上面４の外周には、図１〜図４にも示すように各周辺長さをロアデッキ１の各周辺長よりも僅かに長く設定して上面４の面積を拡大する突出部１２が水平方向に延出されている。
【００２２】
この突出部１２は、下面に複数の略三角形補強リブ１３が長手方向へ等間隔に設けられていると共に、上端の各辺に沿って細長い板状の４つの直線状枠体１４が垂直に立設されている。また、突出部１２の各コーナー部Ｃには、直角方向で隣接する各枠体１４，１４の各内面の延長線Ｓ，Ｓが直交する交点Ｐよりも外方へ延出する延出部１２ａが一体に設けられている。この延出部１２ａは、ほぼ円形状を呈し、突出部１２からさらに外方へ水平に延出形成されて、アッパデッキ３つの上面４の面積をさらに拡大する形になっている。また、前記突出部１２の所定位置には、上下方向に貫通した排水用の通孔が形成されている。
【００２３】
また、上記各枠体１４は、上端の所定等間隔位置に夫々４つの凸部１５が一体に形成されていると共に、上記各延出部１２ａの上端外周縁に沿って補強枠部１９が夫々立設されている。この各補強枠部１９は、半円環状を呈し、その高さや厚さ幅は枠体１４と同一に設定されていると共に、各両端部が枠体１４，１４の対向する端部１４ａ，１４ｂに連続一体に結合されている。また、枠体１４の基部側の所定位置に内周面から外周面に通じる排水用の貫通孔１４ｃが形成されている。
【００２４】
尚、アッパデッキ３の所定位置には、上下端がデッキボードを貫通した複数のすべり止め用のゴム製グロメット１６が設けられている。更に、上記枠体１４の凸部１５内面に補強突部１８が所定間隔で複数形成されている。
【００２５】
したがって、アッパデッキ３の上面４に載置された荷物の下端外周縁が枠体１４によって保持されるため、該荷物を安定して支持することができ、アッパデッキ上面４からの不用意な落下等が確実に防止される。
【００２６】
また、パレットの不使用時において各パレットを積み重ねて収納する際には、枠体１４によって同一形状の上側の合成樹脂製パレットのロアデッキ１外周面が規制されて下側のパレットに対する位置決めが容易かつ確実に行われ、また積み重ね時の横方向のずれが防止されるため、各パレットの安定した積み重ねが可能となる。
【００２７】
しかも、延出部１２ａ及び補強枠部１９が交点Ｐより外方に位置している、つまり交点Ｐの外側に設けられているため、積み重ねられた上側パレットのロアデッキのコーナー部が直角であっても、このコーナー部を吸収することができるので、コーナー部が直角な木製パレットでも積み重ねが可能となる。また、同一形状の合成樹脂パレットを積み重ねた場合は、上側パレットのロアデッキコーナー部が各枠体１４の補強枠部１９側の端部１４ａ，１４ｂに支持されるため、上記枠体１４による支持と相俟って積み重ね状態の安定化が一層向上する。
【００２８】
さらに、各枠体１４は、コーナー部Ｃ側の両端部１４ａ，１４ｂが補強枠部１９によって互いに結合されているため、上記端部１４ａ，１４ｂの剛性が高くなる。したがって、各枠体１４のコーナー部の耐久性が向上し、たとえ荷物などが上面４上を滑って端部１４ａ，１４ｂに衝突しても亀裂や破損等の発生が十分に防止でき、。
【００２９】
また、枠体１４に凸部１５を形成したため、例えば荷物等がアッパデッキ上面４を摺動して枠体１４に衝突しても凸部１５が外方へ変形してその衝突力を吸収し、つまり緩衝作用を司るため、荷物や枠体自身の破損等が十分に防止される。
【００３０】
ところで、パレット自体を他所へ移動する場合、フォークリフトなどを利用せずに該パレットを立ててそのまま引き摺って移動させることがあるが、この場合はパレットの接地側側面に多くの摺り傷が付いたり、コーナー部等が破損するばかりか表示ラベル等が破断されてしまうといった問題がある。
【００３１】
しかし、本実施例の合成樹脂製パレットには、突出部１２や延出部１２ａが形成されているため、パレットの起立姿勢が維持できず、引き摺り移動が困難になる。また、たとえ引き摺り移動を行っても、延出部１２ａによってパレット側面の地面との接触が回避されるため、摺り傷や表示ラベル等の破断等を確実に防止できる。
【００３２】
尚、アッパデッキ３の通孔１１ｃやロアデッキ１の矩形孔７ｃによってアッパデッキ上面４等に付着した雨水等をパレット外部へ効果的に排出できることは勿論のこと、縦横部材７ａ，７ｂ、１１ａ，１１ｂが下向きになっているため排水効果を向上させることができる。また、前記枠体１４に形成された貫通孔１４ｃや突出部１２の通孔によっても上面４上の雨水等を速やかに排出できる。
【００３３】
更に、各支柱２ａ〜２ｉを溶着によって結合したため、嵌合による結合に比較してパレット全体の剛性が向上する。この結果、差込口５，６のスパンを可及的に拡大することが可能となり、フォークリフトの両フォークを大きく拡げることができパレットの安定した運搬作用が得られ、また両フォークの拡縮操作が不要になる。
【００３４】
本発明は前記実施態様の構成に限定されるものではなく、例えば延出部を円弧状ではなく矩形状に形成すると共に、これに合わせて補強枠部もほぼＬ字形に形成することも可能である。
【００３５】
【発明の効果】
以上の説明で明らかなように、本発明に係る合成樹脂製パレットによれば、アッパデッキの上面を、別異パレットのロアデッキを載置可能な面積としたため、各パレットの積み重ねが可能になることは勿論のこと、枠体によって上側パレットの容易な位置決めと安定化支持が得られると共に、荷物の安定化支持が得られる。
【００３６】
しかも、突出部のコーナー部に、各枠体と連続一体に結合した補強枠部を立設したため、コーナー部の直角なパレットをも積み重ねが可能になると共に、枠体のコーナー部における剛性が高くなる。この結果、耐久性が向上し、たとえ枠体の端部に荷物等が衝突しても亀裂や破損等の発生が防止できる。
【００３７】
また、請求項２記載の発明によれば、延出部によって突出部のコーナー部や特に補強枠部の強度が向上する。
【００３８】
請求項３記載の発明によれば、延出部の外周縁が円弧状になるため、強度が高くなり、たとえ他のパレットが延出部に当たっても応力集中が回避されて破損などが防止される。
【００３９】
請求項４記載の発明によれば、枠体と補強枠部との一体性が確保されるため、枠体に対する補強効果が向上する。
【００４０】
さらに、請求項５の発明によれば、貫通孔によってアッパデッキ上面の雨水等を外部へ速やかに排出することが可能になる。
【図面の簡単な説明】
【図１】本発明に係る合成樹脂製パレットの実施の態様を示す平面図。
【図２】同パレットの底面図。
【図３】図１のＡ矢視図。
【図４】図１のＢ矢視図。
【図５】図１のＣ−Ｃ線断面図。
【符号の説明】
１…ロアデッキ
２ａ〜２ｉ…支柱
３…アッパデッキ
４…上面
１２…突出部
１２ａ…延出部
１４…枠体
１４ａ，１４ｂ…端部
１９…補強枠部
Ｃ…コーナー部
Ｓ１，Ｓ２…延長線
Ｐ…交点
【図１】
0003841915.tif 000002
【図２】
0003841915.tif 000003
【図３】
0003841915.tif 000004
【図４】
0003841915.tif 000005
【図５】
0003841915.tif 000006